【手続補正書】
【提出日】平成19年4月18日(2007.4.18)
【手続補正１】
【補正対象書類名】明細書
【補正対象項目名】特許請求の範囲
【補正方法】変更
【補正の内容】
【特許請求の範囲】
【請求項１】  システムが、患者生物学的標本およびこの標本と共に、（ａ）ある濃度のビグアニドおよび（ｂ）少なくとも１つの他の抗微生物剤を包含する組成物を含み、該組成物が、該患者生物学的標本中に存在する場合に微生物に滅菌性があり、そしてサンプルを、サンプル中に存在する場合に該微生物に滅菌性があり、ビグアニドと少なくとも１つの他の抗微生物剤を包含する有効量の組成物と混合することによって、サンプルの化学的および物理的特性を保存する、微生物を含有する可能性のあるサンプルを保存するためのシステム。
【請求項２】  該ビグアニドが、濃度約０．０１〜約０．１ｍｇ／ｍｌのクロロヘキシジンである、請求項１記載のシステム。
【請求項３】  該微生物が細胞膜を有し、該細胞が選択的透過性を有し、そして該少なくとも１つの他の抗微生物剤が、該選択的透過性を減少する化合物を包含する、請求項２記載のシステム。
【請求項４】  該少なくとも１つの他の抗微生物剤が、芳香族アルコールを包含する、請求項３記載のシステム。
【請求項５】  該芳香族アルコールが、２−フェニルエタノールである、請求項４記載のシステム。
【請求項６】  該組成物が、さらに、テルペノイドを包含する、請求項５記載のシステム。
【請求項７】  該テルペノイドが、イソオイゲノールである、請求項６記載のシステム。
【請求項８】  該組成物が、さらに、テルペノイドを包含する、請求項４記載のシステム。
【請求項９】  該テルペノイドが、イソオイゲノールである、請求項８記載のシステム。
【請求項１０】  該少なくとも１つの他の抗微生物剤が、プロピオネートを包含する、請求項２記載のシステム。
【請求項１１】  該プロピオネートが、プロピオン酸ナトリウムである、請求項１０記載のシステム。
【請求項１２】  該組成物が、さらに、パラヒドロキシベンゾエートを包含する、請求項１１記載のシステム。
【請求項１３】  該パラヒドロキシベンゾエートが、パラヒドロキシ安息香酸エチルである、請求項１２記載のシステム。
【請求項１４】  該組成物が、さらに、ホウ酸またはホウ酸誘導体を包含する、請求項１１記載のシステム。
【請求項１５】  該組成物が、さらに、パラヒドロキシベンゾエートを包含する、請求項１０記載のシステム。
【請求項１６】  該パラヒドロキシベンゾエートが、パラヒドロキシ安息香酸エチルである、請求項１５記載のシステム。
【請求項１７】  該組成物が、さらに、ホウ酸またはホウ酸誘導体を包含する、請求項１０記載のシステム。
【請求項１８】  該少なくとも１つの他の抗微生物剤が、ホウ酸またはホウ酸誘導体を包含する、請求項２記載のシステム。
【請求項１９】  該ビグアニドが、クロロヘキシジンである、請求項１記載のシステム。
【請求項２０】  該少なくとも１つの他の抗微生物剤が、芳香族アルコールを包含する、請求項１９記載のシステム。
【請求項２１】  該芳香族アルコールが、２−フェニルエタノールである、請求項２０記載のシステム。
【請求項２２】  該組成物が、さらに、テルペノイドを包含する、請求項２１記載のシステム。
【請求項２３】  該テルペノイドが、イソオイゲノールである、請求項２２記載のシステム。
【請求項２４】  該組成物が、さらに、テルペノイドを包含する、請求項２０記載のシステム。
【請求項２５】  該テルペノイドが、イソオイゲノールである、請求項２４記載のシステム。
【請求項２６】  該少なくとも１つの他の抗微生物剤が、プロピオネートを包含する、請求項１記載のシステム。
【請求項２７】  該プロピオネートが、プロピオン酸ナトリウムである、請求項２６記載のシステム。
【請求項２８】  該組成物が、さらに、パラヒドロキシベンゾエートを包含する、請求項２７記載のシステム。
【請求項２９】  該パラヒドロキシベンゾエートが、パラヒドロキシ安息香酸エチルである、請求項２８記載のシステム。
【請求項３０】  該組成物が、さらに、ホウ酸またはホウ酸誘導体を包含する、請求項２７記載のシステム。
【請求項３１】  該組成物が、さらに、パラヒドロキシベンゾエートを包含する、請求項２６記載のシステム。
【請求項３２】  該パラヒドロキシベンゾエートが、パラヒドロキシ安息香酸エチルである、請求項３１記載のシステム。
【請求項３３】  該組成物が、さらに、ホウ酸またはホウ酸誘導体を包含する、請求項２６記載のシステム。
【請求項３４】  該少なくとも１つの他の抗微生物剤が、ホウ酸またはホウ酸誘導体を包含する、請求項１記載のシステム。
【請求項３５】  患者生物学的標本が、（ａ）尿、だ液、痰を含む体液および（ｂ）生物学的組織標本から成る群から選ばれたものである、請求項１、２、２６、１０、２７、１１、３１、１５、２８、１２、３２、１６、２９、１３、３４、１８、３３、１７、３０または１４のいずれかに記載のシステム。
【請求項３６】  サンプルと共に、（ａ）濃度約０．０１〜約０．１ｍｇ／ｍｌのクロロヘキシジンおよび（ｂ）濃度約０．１〜約０．７ｍｇ／ｍｌのエチルパラベンを含む組成物を包含する、微生物を含有する可能性のある尿サンプルを保存するためのシステム。
【請求項３７】  サンプルと共に、（ａ）濃度約０．０１〜約０．１ｍｇ／ｍｌのクロロヘキシジンおよび（ｂ）濃度約１〜約１０ｍｇ／ｍｌのプロピオン酸ナトリウムを含む組成物を包含する、微生物を含有する可能性のある尿サンプルを保存するためのシステム。
【請求項３８】  サンプルと共に、組成物が濃度約０．１〜約１．０ｍｇ／ｍｌのエチルパラベンを含む、請求項３７記載のシステム。
【請求項３９】  サンプルと共に、組成物が濃度約２．５ｍｇ／ｍｌ〜約７．５ｍｇ／ｍｌのプロピオン酸ナトリウム、濃度約０．１ｍｇ／ｍｌ〜約１ｍｇ／ｍｌのパラヒドロキシ安息香酸エチルおよび濃度約０．０１ｍｇ／ｍ１〜約０．１ｍｇ／ｍｌのクロロヘキシジンを含む、請求項３８記載のシステム。
【請求項４０】  サンプルと共に、組成物が濃度約０．２５〜約１ｍｇ／ｍｌのホウ酸酸を含む、請求項３７記載のシステム。
【請求項４１】  サンプルと共に、（ａ）濃度約０．０１〜約０．１ｍｇ／ｍｌのクロロヘキシジン、（ｂ）濃度約０〜約２．５μｌ／ｍｌの２−フェニルエタノールおよび（ｃ）濃度約０．２〜約１．５μｌ／ｍｌのイソオイゲノールを含む組成物を包含する、微生物を含有する可能性のある尿サンプルを保存するためのシステム。
【請求項４２】  サンプルと共に、（ａ）濃度約０．０１〜約０．１ｍｇ／ｍｌのクロロヘキシジンおよび（ｂ）濃度約０．１〜約１ｍｇ／ｍｌのエチルパラベンを含む、実質的にクロロヘキシジンおよびエチルパラベンから成る組成物を含んで成る、微生物を含有する可能性のある尿サンプルを保存するためのシステム。
【請求項４３】  サンプルと共に、（ａ）濃度約０．０１〜０．１ｍｇ／ｍｌのクロロヘキシジンおよび（ｂ）濃度約１〜約１０ｍｇ／ｍｌのプロピオン酸ナトリウムを含む、実質的にクロロヘキシジンおよびプロピオン酸ナトリウムから成る組成物を含んで成る、微生物を含有する可能性のある尿サンプルを保存するためのシステム。
【請求項４４】  サンプルと共に、（ａ）濃度約０．０１〜約０．１ｍｇ／ｍｌのクロロヘキシジン、（ｂ）濃度約１〜約１０ｍｇ／ｍｌのプロピオン酸ナトリウムおよび（ｃ）濃度約０．１〜約１ｍｇ／ｍｌのエチルパラベンを含む、実質的にクロロヘキシジン、プロピオン酸ナトリウムおよびエチルパラベンから成る組成物を含んで成る、微生物を含有する可能性のある尿サンプルを保存するためのシステム。
【請求項４５】  サンプルと共に、（ａ）濃度約０．０１〜約０．１ｍｇ／ｍｌのクロロヘキシジン、（ｂ）濃度約１〜約１０ｍｇ／ｍｌのプロピオン酸ナトリウムおよび（ｃ）濃度約０．２５〜約１ｍｇ／ｍｌのホウ酸を含む、実質的にクロロヘキシジン、プロピオン酸ナトリウムおよびホウ酸から成る組成物を含んで成る、微生物を含有する可能性のある尿サンプルを保存するためのシステム。
【請求項４６】  サンプルと共に、（ａ）濃度約０．０１〜約０．１ｍｇ／ｍｌのクロロヘキシジン、（ｂ）濃度約０〜約２．５μｌ／ｍｌの２−フェニルエタノールおよび（ｃ）約０．２〜約１．５μｌ／ｍｌのイソオイゲノールを含む組成物を包含する、実質的にクロロヘキシジン、２−フェニルエタノールおよびイソオイゲノールから成る組成物を含んで成る、微生物を含有する可能性のある尿サンプルを保存するためのシステム。
【請求項４７】  サンプルと共に、（ａ）濃度約０．０１〜約０．１ｍｇ／ｍｌのクロロヘキシジン、（ｂ）約２．５〜約７．５ｍｇ／ｍｌのプロピオン酸ナトリウムおよび（ｃ）濃度約０．１〜約１０ｍｇ／ｍｌのホウ酸を含む、実質的にクロロヘキシジン、プロピオン酸ナトリウムおよびホウ酸から成る組成物を含んで成る、微生物を含有する可能性のある尿サンプルを保存するためのシステム。
【請求項４８】  微生物を含有する可能性のある尿サンプルを保存する方法で、該サンプルを、ビグアニドおよび少なくとも１つの他の抗微生物剤を包含する有効量の組成物と混合することによって、該サンプルの化学的および物理的特性を保存し、該組成物が、該サンプル中に存在する場合に該微生物に滅菌性があることを特徴とする方法。
【請求項４９】  該ビグアニドが、クロロヘキシジンである、請求項４８記載の方法。
【請求項５０】  該少なくとも１つの他の抗微生物剤が、該微生物の細胞膜の選択的透過性を減少する剤を包含する、請求項４８記載の方法。
【請求項５１】  該少なくとも１つの他の抗微生物剤が、該微生物の細胞膜の選択的透過性を減少する剤を包含する、請求項４９記載の方法。
【請求項５２】  該少なくとも１つの他の抗微生物剤が、プロピオネートを包含する、請求項４８記載の方法。
【請求項５３】  該少なくとも１つの他の抗微生物剤が、プロピオネートを包含する、請求項４９記載の方法。
【請求項５４】  該プロピオネートが、プロピオン酸ナトリウムである、請求項５２記載の方法。
【請求項５５】  該プロピオネートが、プロピオン酸ナトリウムである、請求項５３記載の器具。
【請求項５６】  該組成物が、さらに、パラヒドロキシベンゾエートを包含する、請求項５２記載の方法。
【請求項５７】  該組成物が、さらに、パラヒドロキシベンゾエートを包含する、請求項５３記載の方法。
【請求項５８】  該組成物が、さらに、パラヒドロキシベンゾエートを包含する、請求項５４記載の方法。
【請求項５９】  該組成物が、さらに、パラヒドロキシベンゾエートを包含する、請求項５５記載の方法。
【請求項６０】  該パラヒドロキシベンゾエートが、パラヒドロキシ安息香酸エチルである、請求項５６記載の方法。
【請求項６１】  該パラヒドロキシベンゾエートが、パラヒドロキシ安息香酸エチルである、請求項５７記載の方法。
【請求項６２】  該パラヒドロキシベンゾエートが、パラヒドロキシ安息香酸エチルである、請求項５８記載の方法。
【請求項６３】  該パラヒドロキシベンゾエートが、パラヒドロキシ安息香酸エチルである、請求項５９記載の方法。
【請求項６４】  微生物を含有する可能性のある尿サンプルを保存する方法で、該尿サンプルを、該サンプルと共に（ａ）濃度約０．０１〜約０．１ｍｇ／ｍｌのクロロヘキシジンおよび（ｂ）濃度約０．１〜約０．７ｍｇ／ｍｌのエチルパラベンを包含する組成物と混合することから成る、尿サンプル保存方法。
【請求項６５】  微生物を含有する可能性のある尿サンプルを保存する方法で、該尿サンプルを、該サンプルと共に（ａ）濃度約０．０１〜約０．１ｍｇ／ｍｌのクロロヘキシジンおよび（ｂ）濃度約１〜約１０ｍｇ／ｍｌのプロピオン酸ナトリウムを包含する組成物と混合することから成る、尿サンプル保存方法。
【請求項６６】  該組成物が、該サンプルと共に、濃度約０．１〜約１．０ｍｇ／ｍｌのエチルパラベンを包含する、請求項６５記載の方法。
【請求項６７】  該組成物が、該サンプルと共に、濃度約０．２５〜約１ｍｇ／ｍｌのホウ酸を包含する、請求項６５記載の方法。
【請求項６８】  微生物を含有する可能性のある尿サンプルを保存する方法で、該尿サンプルを、該サンプルと共に（ａ）濃度約０．０１〜約０．１ｍｇ／ｍｌのクロロヘキシジン、（ｂ）濃度約０〜約２．５μｌ／ｍｌの２−フェニルエタノールおよび（ｃ）濃度約０．２〜約１．５μｌ／ｍｌのイソオイゲノールを包含する組成物と混合することから成る、尿サンプル保存方法。
【請求項６９】  微生物を含有する可能性のある尿サンプルを保存する方法で、該尿サンプルを、該サンプルと共に（ａ）濃度約０．０１〜約０．１ｍｇ／ｍｌのクロロヘキシジンおよび（ｂ）濃度約０．１〜約１ｍｇ／ｍｌのエチルパラベンを包含し、実質的にクロロヘキシジンおよびエチルパラベンから成る組成物と混合することから成る、尿サンプル保存方法。
【請求項７０】  微生物を含有する可能性のある尿サンプルを保存する方法で、該尿サンプルを、該サンプルと共に（ａ）濃度約０．０１〜約０．１ｍｇ／ｍｌのクロロヘキシジンおよび（ｂ）濃度約１〜約１０ｍｇ／ｍｌのプロピオン酸ナトリウムを包含し、実質的にクロロヘキシジンおよびプロピオン酸ナトリウムから成る組成物と混合することから成る、尿サンプル保存方法。
【請求項７１】  微生物を含有する可能性のある尿サンプルを保存する方法で、該尿サンプルを、該サンプルと共に（ａ）濃度約０．０１〜約０．１ｍｇ／ｍｌのクロロヘキシジン、（ｂ）濃度約１〜約１０ｍｇ／ｍｌのプロピオン酸ナトリウムおよび（ｃ）濃度約０．１〜約１ｍｇ／ｍｌのエチルパラベンを包含し、実質的にクロロヘキシジン、プロピオン酸ナトリウムおよびエチルパラベンから成る組成物と混合することから成る、尿サンプル保存方法。
【請求項７２】  微生物を含有する可能性のある尿サンプルを保存する方法で、該尿サンプルを、該サンプルと共に（ａ）濃度約０．０１〜約０．１ｍｇ／ｍｌのクロロヘキシジン、（ｂ）濃度約１〜約１０ｍｇ／ｍｌのプロピオン酸ナトリウムおよび（ｃ）濃度約０．２５〜約１ｍｇ／ｍｌのホウ酸を包含し、実質的にクロロヘキシジン、プロピオン酸ナトリウムおよびホウ酸から成る組成物と混合することから成る、尿サンプル保存方法。
【請求項７３】  微生物を含有する可能性のある尿サンプルを保存する方法で、該尿サンプルを、該サンプルと共に（ａ）濃度約０．０１〜約０．１ｍｇ／ｍｌのクロロヘキシジン、（ｂ）濃度約０〜約２．５μｌ／ｍｌの２−フェニルエタノールおよび（ｃ）濃度約０．２〜約１．５μｌ／ｍｌのイソオイゲノールを包含し、実質的にクロロヘキシジン、２−フェニルエタノールおよびイソオイゲノールから成る組成物と混合することから成る、尿サンプル保存方法。
【請求項７４】  微生物を含有する可能性のある尿サンプルを保存する方法で、該尿サンプルを、該サンプルと共に（ａ）濃度約０．０１〜約０．１ｍｇ／ｍｌのクロロヘキシジン、（ｂ）濃度約２．５〜約７．５ｍｇ／ｍｌのプロピオン酸ナトリウムおよび（ｃ）濃度約０．１〜約１０ｍｇ／ｍｌのホウ酸を包含し、実質的にクロロヘキシジン、プロピオン酸ナトリウムおよびホウ酸から成る組成物と混合することから成る、尿サンプル保存方法。
【請求項７５】  該組成物が、該サンプルと共に濃度約２．５〜約７．５ｍｇ／ｍｌのプロピオン酸ナトリウム、約０．１〜約１ｍｇ／ｍｌのパラヒドロキシ安息香酸エチルおよび濃度約０．０１〜約０．１ｍｇ／ｍｌのクロロヘキシジンを包含するものである、請求項６６記載の方法。